(57)【要約】【課題】食品広告情報を料理レシピ情報と関連させて、極力広告効果の高い状態で利用者に提供することが可能な調理情報システムを提供する。【解決手段】利用者端末１から特定の料理レシピ情報が要求されると、情報提供者サーバ２は、広告データベース２Ｅ中の所定の食品広告情報をレシピデータベース２Ｂ中の所定の料理レシピ情報に含まれる食品に対応付けた食品広告対応付け情報に基づいて、その特定の料理レシピ情報に含まれる食品の広告情報を提供できる旨の広告提供可能情報をその特定の料理レシピ情報に付して利用者端末１に送信し、利用者端末１からその広告提供可能情報の食品の広告が要求されると、前記食品広告対応付け情報に基づいて、広告データベース２Ｅ中のその要求された食品に対応する食品広告情報を利用者端末１に送信する。【選択図】図１
2010061676.tif 000002
【特許請求の範囲】
【請求項１】
複数の料理レシピ情報からなるレシピデータベースを備え、所定の通信網を介して利用者端末にデータ送受信可能に接続された情報提供者サーバが、前記利用者端末からの要求に応じて、前記レシピデータベース中の所定の料理レシピ情報を前記利用者端末に送信するように構成された調理情報システムであって、
前記情報提供者サーバは、複数の食品広告情報からなる広告データベース中の所定の食品広告情報を前記レシピデータベース中の所定の料理レシピ情報に含まれる食品に対応付けた食品広告対応付け情報を管理して、
前記利用者端末から前記レシピデータベース中の特定の料理レシピ情報が要求された場合に、前記食品広告対応付け情報に基づいて、その特定の料理レシピ情報に含まれる食品の広告情報を提供できる旨の広告提供可能情報を前記特定の料理レシピ情報に付して前記利用者端末に送信し、且つ、前記利用者端末から前記広告提供可能情報の食品の広告情報が要求された場合には、前記食品広告対応付け情報に基づいて、前記広告データベース中のその広告情報が要求された食品に対応する食品広告情報を前記利用者端末に送信するように構成されており、
前記料理レシピ情報や前記食品広告情報へのアクセス数を計上してアクセス数履歴データベースにて管理するアクセス数計上手段が設けられている調理情報システム。
【請求項２】
広告主端末において、所定値以上の前記アクセス数を計上した前記料理レシピ情報を選択して指定することができ、
前記情報提供者サーバは、前記食品広告対応付け情報の生成にあたり、当該指定された前記料理レシピ情報に限り、前記食品広告対応付け情報が前記食品広告情報と前記料理レシピ情報に含まれる食品とを対応付ける情報として生成されるように構成されている請求項１に記載の調理情報システム。
【請求項３】
前記情報提供者サーバは、前記広告提供可能情報を、前記特定の料理レシピ中で広告情報が提供可能な食品を広告情報が提供されない食品に対して識別させるための識別データとして送信するように構成されている請求項１又は２に記載の調理情報システム。
【請求項４】
前記情報提供者サーバは、前記広告データベース中の所定の食品広告情報を前記レシピデータベース中の所定の料理レシピ情報に対応付けたレシピ広告対応付け情報を管理して、
前記利用者端末から前記レシピデータベース中の特定の料理レシピ情報が要求された場合に、前記レシピ広告対応付け情報に基づいて、その特定の料理レシピ情報に対応付けた食品広告情報を前記特定の料理レシピ情報に付して前記利用者端末に送信するように構成されている請求項１〜３のいずれか１項に記載の調理情報システム。
【請求項５】
前記食品広告情報の提供を依頼した広告主に対して、その広告主の依頼に係る食品広告情報を前記利用者端末側に提供した回数に基づいて、広告料を課金する課金手段が設けられている請求項１〜４のいずれか１項に記載の調理情報システム。
【請求項６】
前記食品広告情報の提供を依頼した広告主に対して、その広告主の依頼に係る食品広告情報を対応づけた前記レシピデータベース中の料理レシピ情報の数に基づいて、広告料を課金する課金手段が設けられている請求項１〜４のいずれか１項に記載の調理情報システム。
【請求項７】
前記食品広告情報の提供を依頼した広告主に対して、その広告主の依頼に係る食品広告情報を前記利用者端末から利用可能な期間に基づいて、広告料を課金する課金手段が設けられている請求項１〜４のいずれか１項に記載の調理情報システム。
【請求項８】
前記情報提供者サーバは、前記利用者端末に送信した前記食品広告情報の食品について前記利用者端末からの注文を受け付けるように構成されている請求項１〜７のいずれか１項に記載の調理情報システム。
【請求項９】
前記食品広告情報の提供を依頼した広告主に対して、その広告主の依頼に係る食品広告情報の食品について前記利用者端末からの注文を受け付けた回数もしくは注文を受け付けた食品の価格に基づいて、広告料を課金する課金手段が設けられている請求項８に記載の調理情報システム。
【発明の詳細な説明】
【技術分野】
【０００１】
本発明は、複数の料理レシピ情報からなるレシピデータベースを備え、所定の通信網を介して利用者端末にデータ送受信可能に接続された情報提供者サーバが、前記利用者端末からの要求に応じて、前記レシピデータベース中の所定の料理レシピ情報を前記利用者端末に送信するように構成された調理情報システムに関する。
【背景技術】
【０００２】
上記調理情報システムでは、レシピデータベースを備えた情報提供者サーバに対して、インターネット等の通信網を介してデータ送受信可能に接続された携帯電話やパソコン等の利用者端末から、所定の料理レシピ情報を要求すると、情報提供者サーバが、レシピデータベースの中から利用者が要求した料理レシピ情報を探し出し、利用者端末側に送信するようにしている。そして、利用者端末側では、その送信データに基づいて、使用する食品材料、調理方法、手順等の情報が表示される。
一方、食品メーカー等が販売する各種食品の広告情報については、それらの食品広告情報を蓄えた広告データベースを備えた情報提供者サーバに対して、上記と同様に、利用者端末から所定の食品広告情報を要求すると、情報提供者サーバが、広告データベースの中から利用者が要求した食品広告情報を探し出し、利用者端末側に送信している。そして、利用者端末側では、その送信データに基づいて、食品メーカー名、食品名、価格、販売箇所等の情報が表示される。このようなサービスに関連するシステムの一例が、特許文献１に示されている。
【先行技術文献】
【特許文献】
【０００３】
【特許文献１】特開平１０−０６３７２５号公報
【発明の概要】
【発明が解決しようとする課題】
【０００４】
前記従来技術では、食品メーカー名や食品名等の食品広告情報はその食品広告情報単独で利用者端末側に提供されるので、その食品がどのような料理レシピに使用できるのか、あるいは、どのような料理レシピに使用するのが適しているか等については利用者自身が別途料理レシピ情報を入手して調べる必要があり、そのため、上記食品広告情報の広告効果が必ずしも高くないという問題があった。さらに、その広告効果を確認する手法も確立されていなかった。
【０００５】
本発明は、上記問題点に鑑みてなされたものであり、その目的は、食品広告情報を料理レシピ情報と関連させて、かつ、料理レシピ情報や食品広告情報の広告効果を確認する手段を提供することで、極力広告効果の高い状態で利用者に提供することが可能となる調理情報システムを提供することである。
【課題を解決するための手段】
【０００６】
この目的を達成するための本発明に係る調理情報システムの第一の特徴構成は、特許請求の範囲の欄の請求項１に記載した如く、前記情報提供者サーバは、複数の食品広告情報からなる広告データベース中の所定の食品広告情報を前記レシピデータベース中の所定の料理レシピ情報に含まれる食品に対応付けた食品広告対応付け情報を管理して、前記利用者端末から前記レシピデータベース中の特定の料理レシピ情報が要求された場合に、前記食品広告対応付け情報に基づいて、その特定の料理レシピ情報に含まれる食品の広告情報を提供できる旨の広告提供可能情報を前記特定の料理レシピ情報に付して前記利用者端末に送信し、且つ、前記利用者端末から前記広告提供可能情報の食品の広告情報が要求された場合には、前記食品広告対応付け情報に基づいて、前記広告データベース中のその広告情報が要求された食品に対応する食品広告情報を前記利用者端末に送信するように構成されており、前記料理レシピ情報や前記食品広告情報へのアクセス数を計上してアクセス数履歴データベースにて管理するアクセス数計上手段が設けられている点にある。
【０００７】
同第二の特徴構成は、特許請求の範囲の欄の請求項２に記載した如く、広告主端末において、所定値以上の前記アクセス数を計上した前記料理レシピ情報を選択して指定することができ、前記情報提供者サーバは、前記食品広告対応付け情報の生成にあたり、当該指定された前記料理レシピ情報に限り、前記食品広告対応付け情報が前記食品広告情報と前記料理レシピ情報に含まれる食品とを対応付ける情報として生成されるように構成されている点にある。
【０００８】
同第三の特徴構成は、特許請求の範囲の欄の請求項３に記載した如く、上記第一又は二の特徴構成に加えて、前記情報提供者サーバは、前記広告提供可能情報を、前記特定の料理レシピ中で広告情報が提供可能な食品を広告情報が提供されない食品に対して識別させるための識別データとして送信するように構成されている点にある。
【０００９】
同第四の特徴構成は、特許請求の範囲の欄の請求項４に記載した如く、上記第一から三のいずれかの特徴構成に加えて、前記情報提供者サーバは、前記広告データベース中の所定の食品広告情報を前記レシピデータベース中の所定の料理レシピ情報に対応付けたレシピ広告対応付け情報を管理して、前記利用者端末から前記レシピデータベース中の特定の料理レシピ情報が要求された場合に、前記レシピ広告対応付け情報に基づいて、その特定の料理レシピ情報に対応付けた食品広告情報を前記特定の料理レシピ情報に付して前記利用者端末に送信するように構成されている点にある。
【００１０】
同第五の特徴構成は、特許請求の範囲の欄の請求項５に記載した如く、上記第一から四のいずれかの特徴構成に加えて、前記食品広告情報の提供を依頼した広告主に対して、その広告主の依頼に係る食品広告情報を前記利用者端末側に提供
した回数に基づいて、広告料を課金する課金手段が設けられている点にある。
【００１１】
同第六の特徴構成は、特許請求の範囲の欄の請求項６に記載した如く、上記第一から四のいずれかの特徴構成に加えて、前記食品広告情報の提供を依頼した広告主に対して、その広告主の依頼に係る食品広告情報を対応づけた前記レシピデータベース中の料理レシピ情報の数に基づいて、広告料を課金する課金手段が設けられている点にある。
【００１２】
同第七の特徴構成は、特許請求の範囲の欄の請求項７に記載した如く、上記第一から四のいずれかの特徴構成に加えて、前記食品広告情報の提供を依頼した広告主に対して、その広告主の依頼に係る食品広告情報を前記利用者端末から利用可能な期間に基づいて、広告料を課金する課金手段が設けられている点にある。
【００１３】
同第八の特徴構成は、特許請求の範囲の欄の請求項８に記載した如く、上記第一から七のいずれかの特徴構成に加えて、前記情報提供者サーバは、前記利用者端末に送信した前記食品広告情報の食品について前記利用者端末からの注文を受け付けるように構成されている点にある。
【００１４】
同第九の特徴構成は、特許請求の範囲の欄の請求項９に記載した如く、上記第八の特徴構成に加えて、前記食品広告情報の提供を依頼した広告主に対して、その広告主の依頼に係る食品広告情報の食品について前記利用者端末からの注文を受け付けた回数もしくは注文を受け付けた食品の価格に基づいて、広告料を課金する課金手段が設けられている点にある。
【００１５】
以下に作用並びに効果を説明する。
本発明の第一の特徴構成によれば、利用者端末から、複数の料理レシピ情報からなるレシピデータベース中の特定の料理レシピ情報が要求されると、情報提供者サーバは、複数の食品広告情報からなる広告データベース中の所定の食品広告情報を上記レシピデータベース中の所定の料理レシピ情報に含まれる食品に対応付けた食品広告対応付け情報に基づいて、その特定の料理レシピ情報に含まれる食品の広告情報を提供できる旨の広告提供可能情報をその特定の料理レシピ情報に付して利用者端末に送信する。そして、利用者端末から、上記送信した広告提供可能情報の食品の広告情報が要求されると、前記食品広告対応付け情報に基づいて、前記広告データベース中のその広告情報が要求された食品に対応する食品広告情報を利用者端末に送信する。
【００１６】
すなわち、利用者端末からの要求に応じて、レシピデータベース中の特定の料理レシピ情報を提供するときに、その料理レシピ情報の提供と共に、その料理に含まれる食品の広告情報を提供することができるので、その広告情報の食品を使用することができる料理レシピ、あるいは、使用するのに適した料理レシピについて利用者が容易に知ることができる。
従って、食品広告情報をその食品が含まれている料理レシピと共に提供することにより、その料理レシピで料理しようとする利用者に対してその食品広告情報がより強い興味を引き起こして購買意欲を高めることになり、もって、食品広告情報を料理レシピ情報と関連させて、極力広告効果の高い状態で利用者に提供することが可能となる調理情報システムが得られる。
【００１７】
さらに、本発明の調理情報システムは、前記料理レシピ情報や前記食品広告情報へのアクセス数を計上してアクセス数履歴データベースにて管理するアクセス数計上手段が設けられている。
従って、本発明の調理情報システムでは、各レシピ情報の過去のアクセス数を調べて、各レシピ情報の季節及び時間帯別の過去のレシピページアクセス数を求めることができる。そして、求められたアクセス数を、広告料金の課金や広告を掲載するレシピ情報を選択する際の参考とすることができる。また、食品広告情報へのアクセス数を調べて、広告効果を数字として確認することができる。
【００１８】
同第二の特徴構成によれば、前記情報提供者サーバは、前記食品広告対応付け情報の生成にあたり、所定値以上の前記アクセス数を計上した前記料理レシピ情報を選択して指定することができ、当該指定された前記料理レシピ情報に限り、前記食品広告対応付け情報が前記食品広告情報と前記料理レシピ情報に含まれる食品とを対応付ける情報として生成する。
従って、本発明の調理情報システムでは、広告の掲載を希望するレシピ情報を選択して指定する際に、例えば広告対象のレシピ情報の中からアクセス回数が１００回／日以上のものを選択して指定することができるため、広告を掲載するレシピ情報の数が制限される場合でも、利用者のアクセス回数が多く、極力広告効果の高いと思われるレシピ情報を選択して指定することが可能である。
【００１９】
同第三の特徴構成によれば、情報提供者サーバは、前記広告提供可能情報を、利用者端末からの要求に応じて提供する特定の料理レシピ中で広告情報が提供可能な食品を広告情報が提供されない食品に対して識別させるための識別データとして送信する。
従って、上記識別データに基づいて、利用者端末において表示される特定の料理レシピ中において、例えば、広告情報が提供可能な食品を広告情報が提供されない食品と異なる状態で表示させたり、あるいは、音声で広告情報が提供可能な食品を報知する等の手段によって、広告情報が提供可能な食品を広告情報が提供されない食品に対して識別させるようにするので、利用者端末において、広告情報の提供が可能な食品を容易に判断することができ、食品広告情報が一層容易な状態で提供される。
【００２０】
同第四の特徴構成によれば、利用者端末から、前記レシピデータベース中の特定の料理レシピ情報が要求されると、情報提供者サーバは、前記広告データベース中の所定の食品広告情報を上記レシピデータベース中の所定の料理レシピ情報に対応付けたレシピ広告対応付け情報に基づいて、その特定の料理レシピ情報に対応付けた食品広告情報をその特定の料理レシピ情報に付して利用者端末に送信する。
すなわち、利用者端末からの要求に応じて、レシピデータベース中の特定の料理レシピ情報を提供するときに、その料理レシピ情報の提供と共に、その料理レシピに対応した食品広告情報を提供することができる。
従って、食品広告情報をその食品によって調理できる料理レシピと共に提供することにより、その食品広告が利用者の興味を引き付けて、極力広告効果の高い状態で利用者に提供することが可能となる調理情報システムが得られる。
【００２１】
同第五の特徴構成によれば、前記広告データベース中の食品広告情報の提供を依頼した広告主の依頼に係る食品広告情報を利用者端末側に提供した回数に基づいて、その食品広告情報の広告主に対して広告料を課金する。
従って、料理レシピ情報と共に利用者端末側に提供した食品広告情報の提供実績に基づいて広告料を課金するので、広告主の広告意欲を高めながら、情報提供者サーバの運営者が適正な広告料収入を確保することが可能となる。
【００２２】
同第六の特徴構成によれば、前記広告データベース中の食品広告情報の提供を依頼した広告主の依頼に係る食品広告情報を、前記レシピデータベース中の料理レシピ情報に対応付けた数に基づいて、その食品広告情報の広告主に対して広告料を課金する。
従って、料理レシピ情報と共に利用者端末側に提供される可能性がある食品広告情報の数に基づいて広告料を課金するので、広告主の広告意欲を高めながら、情報提供者サーバの運営者が適正な広告料収入を確保することが可能となる。
【００２３】
同第七の特徴構成によれば、前記広告データベース中の食品広告情報の提供を依頼した広告主の依頼に係る食品広告情報を利用者端末から利用可能な期間に基づいて、その食品広告情報の広告主に対して広告料を課金する。
従って、料理レシピ情報と共に利用者端末側から食品広告情報を利用可能である期間に基づいて広告料を課金するので、広告主の広告意欲を高めながら、情報提供者サーバの運営者が適正な広告料収入を確保することが可能となる。
【００２４】
同第八の特徴構成によれば、前記情報提供者サーバは、利用者端末に送信した食品広告情報の食品について利用者端末からされた注文を受け付ける。
従って、食品広告情報を見た利用者が利用者端末側からその食品の注文をすることができて便利であるとともに、利用者の購買要求に迅速に対応して食品の販売実績を上げ、広告主の広告意欲をより一層高めることが可能となる。
【００２５】
同第九の特徴構成によれば、前記広告データベース中の食品広告情報の提供を依頼した広告主の依頼に係る食品広告情報の食品について利用者端末からの注文を受け付けた回数もしくは注文を受け付けた食品の価格に基づいて、その食品広告情報の広告主に対して広告料を課金する。
従って、食品広告情報を提供した利用者端末側からその食品についてなされた注文実績に応じて広告料を課金するので、広告主の広告意欲を高めながら、情報提供者サーバの運営者が適正な広告料収入を確保することが可能となる。
【図面の簡単な説明】
【００２６】
【図１】本発明に係る調理情報システムの全体構成図である。
【図２】情報提供者サーバの構成を示すブロック図である。
【図３】広告依頼主と情報提供者サーバと間の送受信の手順を示す図である。
【図４】広告掲載内容の設定に用いる資料の図である。
【図５】第１実施形態に係る料理レシピ情報の一例を示す図である。
【図６】第１実施形態に係る食品広告情報の一例を示す図である。
【図７】第１実施形態に係る情報の送受信の手順を示す図である。
【図８】第２実施形態に係る料理レシピ情報の一例を示す図である。
【図９】第２実施形態に係る食品広告情報の一例を示す図である。
【図１０】第２実施形態に係る情報の送受信の手順を示す図である。
【図１１】第３実施形態に係る食品広告情報の一例を示す図である。
【図１２】第３実施形態に係る情報の送受信の手順を示す図である。
【図１３】第４実施形態に係る食品広告情報の一例を示す図である。
【図１４】第４実施形態に係る情報の送受信の手順を示す図である。
【発明を実施するための形態】
【００２７】
〔第１実施形態〕
本発明に係る調理情報システムの第１実施形態を図面に基づいて説明する。
図１に示すように、本発明に係る調理情報システムには、インターネット等の所定の通信網６を介して利用者端末１にデータ送受信可能に接続される情報提供者サーバとしてのレシピサイト２が設けられている。
【００２８】
利用者端末１は、表示部１ａと操作部１ｂ等を備えた市販の携帯電話にて構成
されている。さらに、利用者端末１には、表示部４ａを備えたオーブンレンジ等の調理機器４が例えばＢｌｕｅｔｏｏｔｈ等の無線通信路を介してデータ送受信可能に接続されている。
【００２９】
レシピサイト２は、コンピュータ機器を利用して構成され、レシピサイトの中央装置２Ａ、複数の料理レシピ情報からなるレシピデータベース２Ｂ、食品メーカー等の複数の顧客（広告主）の情報からなる顧客情報データベース２Ｃ、広告料を設定するための料金テーブル等からなる広告基本料金データベース２Ｄ、複数の食品広告情報からなる広告データベース２Ｅ、及び、後述の食品広告対応付け情報からなる対応付けデータベース２Ｆを備えている。
又、食品広告情報の提供を依頼する食品メーカー等に設けた広告主端末５が前記通信網６を介してレシピサイト２に接続され、広告主端末５は、その広告主の食品広告情報を保存した広告主データベース５１を備えている。
【００３０】
図２に示すように、上記中央装置２Ａには、前記通信網６と接続された送受信部２１と、制御用のＣＰＵ２２とが備えられ、さらに、このＣＰＵ２２にて実行される以下の各手段が備えられている。即ち、前記レシピデータベース２Ｂを検索するレシピ検索手段２３、検索したレシピ情報を送信するレシピ送信手段２４、前記顧客情報データベース２Ｃを管理する顧客情報管理手段２５、上記料理レシピ情報や食品広告情報のアクセスされたページ数を計上してページアクセス数履歴データベース２６ａにて管理するページアクセス数計上手段２６、広告料の基本料金を算出する広告基本料金算出手段２７、前記広告基本料金データベース２Ｄを参照する広告基本料金単価参照手段２８、及び、前記広告データベース２Ｅと前記対応付けデータベース２Ｆを管理する広告情報管理手段２９が備えられている。
【００３１】
そして、レシピサイト２は、利用者端末１からの要求に応じて、上記レシピデータベース２Ｂ中の所定の料理レシピ情報を利用者端末１に送信するように構成されている。すなわち、前記レシピ検索手段２３が、利用者端末１から要求され
た特定の料理レシピ情報をレシピデータベース２Ｂの中から検索する処理を行い、前記レシピ送信手段２４が、その検索された料理レシピ情報を送受信部２１に送り出して利用者端末１に送信する処理を行う。
【００３２】
さらに、レシピサイト２は、前記広告データベース２Ｅ中の所定の食品広告情報を前記レシピデータベース２Ｂ中の所定の料理レシピ情報に含まれる食品に対応付けた食品広告対応付け情報を管理して、前記利用者端末１から前記レシピデータベース２Ｂ中の特定の料理レシピ情報が要求された場合に、前記食品広告対応付け情報に基づいて、その特定の料理レシピ情報に含まれる食品の広告情報を提供できる旨の広告提供可能情報を前記特定の料理レシピ情報に付して前記利用者端末１に送信するように構成されている。そして、レシピサイト２は、上記広告提供可能情報を、前記特定の料理レシピ中で広告情報が提供可能な食品を広告情報が提供されない食品に対して識別させるための識別データとして送信するように構成されている。具体的には、前記特定の料理レシピ中で広告情報が提供可能な食品を広告情報が提供されない食品と異なる状態で表示させるために、上記識別データを広告情報が提供可能な食品にマークを付けるための表示データとして送信するように構成されている。
【００３３】
すなわち、前記広告情報管理手段２９が、上記食品広告対応付け情報を前記対応付けデータベース２Ｆにて管理し、その食品広告対応付け情報を用いて、利用者端末１から要求された特定の料理レシピ情報に含まれる食品のうちで食品広告情報の提供が可能な食品を特定し、その特定の料理レシピ情報において食品広告情報の提供が可能な食品にマークを付けるための表示データをその特定の料理レシピ情報に組み合わせる処理を行い、前記レシピ送信手段２４が、その特定の料理レシピ情報にマーク付け用の表示データを組み合わせたデータを送受信部２１に送り出して利用者端末１に送信する処理を行う。
【００３４】
そして、レシピサイト２は、前記利用者端末１から前記広告提供可能情報の食品の広告情報が要求された場合には、前記食品広告対応付け情報に基づいて、前
記広告データベース２Ｅ中のその広告情報が要求された食品に対応する食品広告情報を前記利用者端末１に送信するように構成されている。すなわち、前記広告情報管理手段２９が、前記対応付けデータベース２Ｆにて管理している前記食品広告対応付け情報を用いて、利用者端末１から要求された食品の広告情報を広告データベース２Ｅ中から探し出し、その食品広告情報を送受信部２１に送り出して利用者端末１に送信する処理を行う。
【００３５】
食品メーカー等の広告主は、レシピサイト２との間で、（１）広告を提供する食品、（２）その食品の広告情報を対応付ける料理レシピ、（３）表示期間（○年○月○日〜○年○月○日）、（４）表示時間帯（例えば、午後４時〜７時）、（５）広告料の課金方法などについて契約を結ぶ。そして、この契約内容に従って、前記広告情報管理手段２９が、前記広告主端末５から送信される当該広告主の食品広告情報を前記広告データベース２Ｅ内に入力するとともに、その広告データベース２Ｅに入力した食品広告情報を前記レシピデータベース２Ｂ中の所定の料理レシピ情報に含まれる食品に対応付ける対応データである前記食品広告対応付け情報を作成して、前記対応付けデータベース２Ｆに入力する。
【００３６】
図３に示す情報受け渡しの手順、及び図４の表に基づいて、広告主端末５と、レシピサイト２との間で実行される上記契約を結ぶための処理内容について説明する。
先ず、広告主端末５において、図４の（Ａ）に示す食材分類表の中から広告の掲載を希望する食材（複数の食材でもよい）を選択して指定する。尚、上記食材分類表は大分類、中分類、小分類の３段階からなる。
レシピサイト２では、レシピ検索手段２３が、上記広告主端末５にて指定された食材を含む料理レシピを前記レシピデータベース２Ｂの中から検索して抽出する。さらに、ページアクセス数計上手段２６が抽出された各レシピ情報の過去のアクセス数を調べて、各レシピ情報の季節及び時間帯別の過去のレシピページアクセス数を求め、広告基本料金単価参照手段２８が、前記広告基本料金データベース２Ｄの料金テーブルを参照して、上記各レシピ情報の季節及び時間帯別の過去のレシピページアクセス数に対する広告料金を求める。そして、上記求めた結果を図示しない表示手段に表示するとともに、前記送受信部２１から広告主端末５に送信する。尚、広告料金は、過去のレシピページアクセス数を反映した基本料金と、広告情報（ページ）の提供数を反映する従量料金とからなり、契約時には、基本料金だけを支払う。
【００３７】
広告主端末５では、上記各レシピ情報の季節及び時間帯別の過去のレシピページアクセス数と各レシピ情報に対する広告料金の結果を閲覧して、広告の掲載を希望するレシピ情報（レシピページ）を選択して指定し、基本料金の算出要求をレシピサイト２に送信する。尚、上記広告の掲載を希望するレシピ情報の選択では、図４の（Ｂ）に示すように、次の３通りで指定することができる。（１）レシピサイト２にて抽出された広告対象のレシピ情報の全てを指定する。（２）広告対象のレシピ情報の中の特定のものに絞って指定する。（３）広告対象のレシピ情報の中から、アクセス回数が１００回／日以上のものを指定する。
【００３８】
レシピサイト２では、その要求に応じて広告基本料金算出手段２７が契約広告基本料金を算出して、その契約広告基本料金の情報を広告主端末５に送信する。広告主端末５では、レシピサイト２から受け取った契約広告基本料金の内容を検討して、契約がＮＧであれば、レシピサイト２から送られた広告料金の結果から広告の掲載を希望するレシピ情報を選択する手順に戻る。一方、上記契約広告基本料金の内容で契約がＯＫであれば、レシピサイト２に広告掲載要求を送信し、レシピサイト２において広告掲載要求を受信することで契約が成立する。
【００３９】
次に、具体例として、○○○食品がマカロニグラタンの料理レシピにおいて、「ホワイトソース（缶詰）」の広告を提供する例を、図７に示す情報受け渡しの手順に従って説明する。
ステップ（１）として、利用者端末１から料理レシピ情報「マカロニグラタン」の検索要求を送信する。レシピサイト２では、ステップ（２）として、レシピ検索手段２３がレシピデータベース２Ｂの中からその要求された料理レシピ情報
「マカロニグラタン」を検索し、ステップ（３）として、広告情報管理手段２９が対応付けデータベース２Ｆ内の食品広告対応付け情報に基づいて、広告データベース２Ｅの中から料理レシピ情報「マカロニグラタン」に含まれる食品で広告提供可能な食品を特定して、その広告提供可能な食品にマークを付するための表示データをその料理レシピ情報「マカロニグラタン」に組み合わせ、ステップ（４）として、レシピ送信手段２４が、上記検索した料理レシピ情報「マカロニグラタン」にマーク表示データを組み合せた情報を利用者端末１に送信する。
【００４０】
ステップ（５）として、レシピサイト２から送信された情報に基づいて、利用者端末１の表示部１ａに、図５に示すように、特定の料理レシピ情報「マカロニグラタン」が、その料理レシピ「マカロニグラタン」に含まれる食品のうち「マカロニ」「コショウ」「溶けるチーズ」「ホワイトソース」に広告情報提供可能マーク（＊）が付された状態で表示される。そして、ステップ（６）として、利用者端末１において、そのマーク（＊）が付されさらに四角で囲まれている食品（図５では、ホワイトソース）の箇所がクリックされると、その食品広告情報の要求が利用者端末１からレシピサイト２に送信される。
【００４１】
レシピサイト２では、ステップ（７）として、広告情報管理手段２９が対応付けデータベース２Ｆ内の食品広告対応付け情報に基づいて、広告データベース２Ｅの中から要求された食品広告情報「ホワイトソース（缶詰）」を検索し、ステップ（８）として、広告情報管理手段２９が、検索した食品広告情報「ホワイトソース（缶詰）」を利用者端末１に送信する。ステップ（９）として、レシピサイト２から送信された情報に基づいて、利用者端末１の表示部１ａに、図６に示すように、「ホワイトソース」の食品広告情報が表示される。
尚、上記料理レシピ情報、食品広告情報は、利用者端末１の表示部１ａに表示されるとき同時に、調理機器４の表示部４ａにも表示される。
説明は省略するが、上記マーク（＊）が付された他の食品「マカロニ」「コショウ」「溶けるチーズ」についても、上記「ホワイトソース」の場合と同様にして広告情報の提供を受けることができる。
【００４２】
前記レシピサイト２の中央装置２Ａは、前記ページアクセス数計上手段２６の集計データに基づいて、食品広告情報の提供を依頼した広告主（食品メーカー等）に対して広告料を課金する課金手段３０を備えている（図２参照）。具体的には、この課金手段３０は、その広告主の依頼に係る食品広告情報を利用者端末１側に提供した回数に基づいて、その食品広告情報の広告主に対して広告料を課金する。上述の場合であれば、「ホワイトソース（缶詰）」の食品メーカーに対して、「ホワイトソース（缶詰）」の食品広告情報が利用者端末１に提供された回数に応じて広告料を課金する。尚、この利用回数に基づく広告料（従量料金）は、契約期間終了後に支払う。
【００４３】
また、この第１実施形態において、広告主の依頼に係る食品広告情報を利用者端末１側に提供した回数ではなく、広告主の依頼に係る食品広告情報を利用者端末１から利用可能な期間に基づいて広告料を課金するようにしてもよい。そして、この利用可能な期間には、前記契約における表示期間（○年○月○日〜○年○月○日）と表示時間帯（例えば、午後４時〜７時）の両方が含まれる（以下、第２〜第４の実施形態でも同じ）。
【００４４】
〔第２実施形態〕
次に、本発明に係る調理情報システムの第２実施形態について説明する。この第２実施形態では、第１実施形態において利用者端末１に提供した食品広告情報の食品について、さらに利用者端末１から購入の申し込みができる点が追加されている構成が異なるが、他の構成については第１実施形態と同様である。
すなわち、前記レシピサイト２は、前記利用者端末１に送信した前記食品広告情報の食品について前記利用者端末１からの注文を受け付けるように構成されている。具体的には、前記レシピサイト２の中央装置２Ａは、利用者端末１からの注文を受け付けてその注文データを保持する注文受付手段３１を備えている（図２参照）。そして、この注文受付手段３１に保持した注文情報は通信網６を介して所定の広告主端末５に送信される。
【００４５】
以下、食品広告情報の広告主が、マカロニグラタンの料理レシピ情報において「ムキエビ」の食品広告情報を提供し、その料理レシピ中の食品「ムキエビ」の注文を受けて宅配する食材宅配業者である場合を説明する。
図１０に、利用者端末１とレシピサイト２との間における料理レシピ情報、食品広告情報、注文情報の受け渡しの手順を示しているが、図１０において、ステップ（１）〜（９）については、第１実施形態の図７におけるステップ（１）〜（９）と基本的に同じ内容の手順であり、食品広告情報が、第１実施形態では「ホワイトソース」であるのに対して、第２実施形態では「ムキエビ」である点が異なる。
即ち、図８に示すように、ステップ（５）として、利用者端末１の表示部１ａには、特定の料理レシピ情報「マカロニグラタン」が、その料理レシピに含まれる食品のうちで、広告情報が提供可能な食品「タマネギ」「ムキエビ」にマーク（＊）を付した状態で表示される。また、ステップ（６）として、上記マーク（＊）が付されさらに四角で囲まれている食品（図では、ムキエビ）の箇所をクリックすると、ステップ（９）として、図９に示すように、ムキエビの宅配業者の食品広告情報が利用者端末１に送信されて表示部１ａに表示される。
【００４６】
さらに、ステップ（１０）として、利用者端末１において、図９に示す食品広告情報の画面内の「申し込み」の箇所をクリックすると、ムキエビの注文情報が利用者端末１からレシピサイト２に送信され、ステップ（１１）として、レシピサイト２において、前記注文受付手段３１がそのムキエビの注文情報を受け付ける処理を行う。
説明は省略するが、上記マーク（＊）が付された他の食品「タマネギ」についても、上記「ムキエビ」の場合と同様にして、広告情報の提供を受け、さらにその注文を申し込むことができる。
【００４７】
そして、前記課金手段３０は、前記注文受付手段３１が受け付けている注文情報を参照して、前記食品広告情報の提供を依頼した広告主（食材宅配業者）に対
して、その広告主の依頼に係る食品広告情報の食品（「ムキエビ」）について利用者端末１からの注文を受け付けた食品の価格に基づいて、広告料を課金するように構成されている。尚、注文を受け付けた食品の価格の代わりに、利用者端末１からの注文を受け付けた回数に基づいて広告料を課金するようにしてもよい。
また、この第２実施形態では、上記注文を受け付けた回数や価格に課金する他に、第１実施形態と同様に、利用者端末１側に食品広告情報を提供した回数もしくは食品広告情報を利用者端末１から利用可能な期間に基づいて広告料を課金するようにしてもよい。
【００４８】
〔第３実施形態〕
次に、本発明に係る調理情報システムの第３実施形態について説明する。
この第３実施形態では、広告情報を提供する食品が、利用者端末１から要求された料理レシピに対応付けた食品ではあるが、その料理レシピに含まれる食品とは別の食品である点が異なる。
【００４９】
すなわち、前記レシピサイト２は、前記広告データベース２Ｅ中の所定の食品広告情報を前記レシピデータベース２Ｂ中の所定の料理レシピ情報に対応付けたレシピ広告対応付け情報を管理して、前記利用者端末１から前記レシピデータベース２Ｂ中の特定の料理レシピ情報が要求された場合に、前記レシピ広告対応付け情報に基づいて、その特定の料理レシピ情報に対応付けた食品広告情報を前記特定の料理レシピ情報に付して前記利用者端末１に送信するように構成されている。
具体的には、前記広告情報管理手段２９が、上記レシピ広告対応付け情報を前記対応付けデータベース２Ｆにて管理し、そのレシピ広告対応付け情報を用いて、広告データベース２Ｅ中から利用者端末１にて要求された特定の料理レシピ情報に対応付けた食品広告情報を選択する処理を行い、前記レシピ送信手段２４が、その特定の料理レシピ情報とそれに対応づけた食品広告情報を送受信部２１に送り出す処理を行う。
【００５０】
以下、図１２に示す利用者端末１とレシピサイト２との間における上記料理レシピ情報と食品広告情報の受け渡しの手順に従って、○○ビール会社が「ビールの肴」になる料理レシピ「アスパラベーコン巻き」とともに、自社のビールの広告を提供する例を説明する。
ステップ（１）として、利用者端末１から料理レシピ情報「アスパラベーコン巻き」の検索要求を送信する。レシピサイト２では、ステップ（２）として、レシピ検索手段２３がレシピデータベース２Ｂの中からその要求された料理レシピ情報「アスパラベーコン巻き」を検索し、ステップ（３）として、広告情報管理手段２９が対応付けデータベース２Ｆ内のレシピ広告対応付け情報に基づいて、広告データベース２Ｅの中から料理レシピ情報「アスパラベーコン巻き」に対応付けた食品広告情報「○○ビール」を検索し、ステップ（４）として、レシピ送信手段２４が、上記検索した料理レシピ情報「アスパラベーコン巻き」と食品広告情報「○○ビール」を利用者端末１に送信する。
ステップ（５）として、レシピサイト２から送信された情報に基づいて、利用者端末１の表示部１ａに、図１１に示すように、「アスパラベーコン巻き」の料理レシピが表示されると共に、○○ビールの写真、名称等の食品広告情報が表示される。
【００５１】
そして、前記課金手段３０は、前記食品広告情報の提供を依頼した広告主（○○ビール会社）に対して、その広告主の依頼に係る食品広告情報（○○ビール）を利用者端末１から利用可能な期間に基づいて、広告料を課金する。
【００５２】
尚、ビール等の食品のように、料理レシピと関連付けて広告情報を提供する場合には、上記のように特定のレシピ情報（例えば、「アスパラベーコン巻き」）に対応させて、食品（ビール）の広告を提供するのではなく、「酒の肴」というような少し広い範囲の料理情報の検索要求に応じて、上記食品（ビール）の広告を提供するようにすることもできる。
【００５３】
〔第４実施形態〕
次に、本発明に係る調理情報システムの第４実施形態について説明する。
第４実施形態では、利用者端末１から要求された料理そのものに対応する食品（具体的には、電子レンジ等で加熱するだけの調理済みのパッケージ食品等）の広告情報を提供する点で、第１実施形態〜第３実施形態と異なる。尚、この調理済みの食品等の食品広告情報は前記広告データベース２Ｅに登録されている。
【００５４】
以下、図１４に示す利用者端末１とレシピサイト２との間における上記料理レシピ情報と食品広告情報の受け渡しの手順に従って、○○食品が「冷凍マカロニグラタン」の広告を提供する例を説明する。
ステップ（１）として、利用者端末１から料理レシピ情報「マカロニグラタン」の検索要求を送信する。レシピサイト２では、ステップ（２）として、レシピ検索手段２３がレシピデータベース２Ｂの中からその要求された料理レシピ情報「マカロニグラタン」を検索し、ステップ（３）として、広告情報管理手段２９が対応付けデータベース２Ｆ内のレシピ広告対応付け情報に基づいて、広告データベース２Ｅの中から料理レシピ情報「マカロニグラタン」に対応付けた食品広告情報「冷凍マカロニグラタン」を検索し、ステップ（４）として、レシピ送信手段２４が、上記検索した料理レシピ情報「マカロニグラタン」と食品広告情報「冷凍マカロニグラタン」を利用者端末１に送信する。
ステップ（５）として、レシピサイト２から送信された情報に基づいて、利用者端末１の表示部１ａに、料理レシピ情報「マカロニグラタン」（図５参照）と、図１３に示す「冷凍マカロニグラタン」の食品広告情報が表示される。この食品広告情報には、「冷凍マカロニグラタン」のパッケージ写真や、調理方法（加熱コード表示）等が表示される。
【００５５】
そして、前記課金手段３０は、前記食品広告情報の提供を依頼した広告主（○○食品）に対して、その広告主の依頼に係る食品広告情報（「冷凍マカロニグラタン」）を利用者端末１から利用可能な期間に基づいて、広告料を課金するように構成されている。
【００５６】
〔別実施形態〕
次に、別実施形態について説明する。
上記第１〜第４の各実施形態では、情報提供者サーバ２が、特定の料理レシピ情報に含まれる食品の広告情報を提供できる旨の広告提供可能情報を、その特定の料理レシピ中で広告情報が提供可能な食品を広告情報が提供されない食品に対して識別させるための識別データとして送信する場合に、その広告情報が提供可能な食品にマークを付けるための表示データとして送信するように構成したが、これ以外に、上記広告提供可能情報を、例えば、その特定の料理レシピの表示とは別の箇所に食品の広告情報を提供できる食品の一覧表を表示するため、あるいは、上記特定の料理レシピの表示において、広告情報が提供可能な食品（例えば、ソーセージ）のみを商品名（例えば、○○会社の○○）に置き換えて表示するための表示データとして送信する構成でもよい。
又、上記識別データとして、表示データではなく、広告情報が提供可能な食品の広告情報を音声で報知するための音声データとして送信する構成でもよい。具体的には、例えば、上記特定の料理レシピに含まれる食品中で広告情報を提供できる食品名が順次音声で報知されるか、あるいは、特定の料理レシピの表示において広告情報が提供可能な食品の表示箇所にマーカーを位置させると、その食品の広告情報が提供可能なことが音声によって知らされるように構成する。
【００５７】
又、情報提供者サーバ２が、特定の料理レシピ情報に含まれる食品の広告情報を提供できる旨の広告提供可能情報をその特定の料理レシピ中の対応する食品にマークを付けるための表示データとして送信する場合に、上記第１〜第４の各実施形態のように、利用者端末１から要求された料理レシピ情報にその都度組み併せる（後付けする）構成としたが、これ以外に、前記食品広告対応付け情報を作成するときに、予め上記マーク表示用のデータを当該料理レシピ情報に組み合わせて当該料理レシピ情報と共にレシピデータベース２Ｂ中に記憶させる（先付けする）構成でもよい。
【００５８】
上記第１〜第４の各実施形態では、情報提供者サーバ２が、複数の食品広告情
報からなる広告データベース２Ｅを備えるように構成したが、これ以外に、例えば広告主端末５に備えた広告主データベース５１を利用して広告データベースを構成してもよい。この場合は、情報提供者サーバ２から広告主端末５に送信指令を出して、その広告主データベース５１中の所定の食品広告情報を広告提供の要求がされた利用者端末１に送信させるようにする。
【００５９】
上記第３及び第４の各実施形態では、利用者端末１から要求された料理レシピ情報に対応付けた食品の広告情報を提供する場合に、詳細な食品広告情報を送信して表示させるようにしたが、これ以外に、先ず、上記料理レシピ情報に対応する食品広告情報の一覧表等によって概略を示し、その一覧表等の中の特定の食品広告に対して広告情報の提供が要求された場合に、詳細な食品広告情報を送信して表示させるようにしてもよい。
【００６０】
前記課金手段３０については、広告主との契約、広告する食品の特性等に応じて適宜、上記第１〜第４の各実施形態と異なる構成とすることができる。例えば、課金手段３０が、食品広告情報の提供を依頼した広告主に対して、その広告主の依頼に係る食品広告情報を対応づけた前記レシピデータベース２Ｂ中の料理レシピ情報の数に基づいて、広告料を課金するように構成する。
【００６１】
上記第１〜第４の各実施形態では、利用者端末１を市販の携帯電話にて構成したが、これ以外に、インターネット等へのアクセス機能を持った台所リモコンやパソコン等で構成して、ホームバス等で調理機器と接続するようにしてもよい。
【産業上の利用可能性】
【００６２】
本発明の調理情報システムによれば、各レシピ情報の過去のアクセス数を、広告料金の課金や広告を掲載するレシピ情報を選択する際の参考とすることができる。これにより、適切な広告料金の課金や極力広告効果の高いレシピ情報を選択して広告を掲載することができる。
【符号の説明】
【００６３】
１      利用者端末
２      情報提供者サーバ
６      通信網
２Ｂ    レシピデータベース
２Ｅ    広告データベース
２６    アクセス数計上手段
３０    課金手段
【図１】
2010061676.tif 000003
【図２】
2010061676.tif 000004
【図３】
2010061676.tif 000005
【図４】
2010061676.tif 000006
【図５】
2010061676.tif 000007
【図６】
2010061676.tif 000008
【図７】
2010061676.tif 000009
【図８】
2010061676.tif 000010
【図９】
2010061676.tif 000011
【図１０】
2010061676.tif 000012
【図１１】
2010061676.tif 000013
【図１２】
2010061676.tif 000014
【図１３】
2010061676.tif 000015
【図１４】
2010061676.tif 000016